(57)【要約】【課題】車室内空気の浄化とともに、空調ユニット内の浄化のために帯電物質を利用し得る車室内空気制御装置を提供する。【解決手段】熱交換器、及び、該熱交換器を通過した空調風を車室に導く複数の送風ダクトであって、それぞれ車室にて開口し該空調風を吹き出す吹出開口を備えた送風ダクトを有する空調手段と、空気環境の浄化特性を備えた帯電物質を供給する浄化手段と、を備えた車室内空気制御装置において、上記浄化手段を、帯電物質が該送風ダクトのいずれかに供給されるように、かつ、上記熱交換器より上流側の空気流路部に供給されるように配設する。【選択図】図１
2008273242.tif 000002
【特許請求の範囲】
【請求項１】
熱交換器、及び、該熱交換器を通過した空調風を車室に導く複数の送風ダクトであって、それぞれ車室にて開口し該空調風を吹き出す吹出開口を備えた送風ダクトを有する空調手段と、空気環境の浄化特性を備えた帯電物質を供給する浄化手段と、を備えた車室内空気制御装置において、
上記浄化手段は、帯電物質を、該送風ダクトのいずれかに供給可能に、かつ、上記熱交換器より上流側の空気流路部に供給可能に配設されている、ことを特徴とする車両用空気制御装置。
【請求項２】
上記空気流路部は、上記熱交換器より上流側から該熱交換器に空気流を供給する送風デバイスより上流側部分である、ことを特徴とする請求項１記載の車両用空気制御装置。
【請求項３】
上記空気流路部は、上記熱交換器より上流側から該熱交換器に空気流を供給する送風デバイスの下流側部分であり、
上記浄化手段は、上記送風デバイスの作動時には、該送風デバイスにより供給される空気流の一部を利用して帯電物質を車室内に供給するように配設されている、ことを特徴とする請求項１記載の車両用空気制御装置。
【請求項４】
上記浄化手段は、共にインストルメントパネルの車幅方向中心近傍にて設置された上記空気流路部と上記浄化手段から帯電物質を供給される送風ダクトに備えられた帯電物質供給用吹出開口との双方の近傍に配設されている、ことを特徴とする請求項１〜３のいずれか一に記載の車両用空気制御装置。
【請求項５】
上記空気流路部及び帯電物質供給用吹出開口は、車幅方向において少なくとも一部が重なる一方、車両の前後方向においては互いに離間するように配置されており、
上記空気流路部と帯電物質供給用吹出開口を備えた送風ダクトとは、上記浄化手段に連通しつつ車両の前後方向に延びる略直線状の接続用ダクトを介して接続されている、ことを特徴とする請求項４記載の車両用空気制御装置。
【請求項６】
上記浄化手段は、帯電物質を送り出すための空気流を供給する帯電物質供給用送風デバイスを有しており、
上記空調手段側の送風デバイスの作動停止時に、上記空気流路部に帯電物質が送り込まれるように、上記送風デバイスが作動させられる、ことを特徴とする請求項２〜５のいずれか一に記載の車両用空気制御装置。
【発明の詳細な説明】
【技術分野】
【０００１】
この発明は、車室内空気制御装置に、より詳しくは、車両の車室内の空気を浄化する空気浄化デバイスを備えた車室内空気制御装置に関する。
【背景技術】
【０００２】
従来、車両においては、車室内の空気を浄化する空気浄化デバイスが設置されることが一般的に行われるが、近年では、空気浄化デバイスとして、空気中に浮遊した臭い成分や車室内の壁面等に付着した臭い成分を除去する浄化特性を備えたナノメータサイズの帯電微粒子水（所謂ナノイオン）を発生させるデバイスを採用することが知られている。例えば下記特許文献１及び２には、ナノイオンを発生させる空気浄化デバイスが、空調ユニット内に設置される例、あるいは、車室内のインストルメントパネル上部又はピラーに設置されたりする例が開示されている。
【０００３】
また、別に、例えば下記特許文献３に開示されるように、除菌，消臭，リフレッシュ効果をもたらすとされる、プラスとマイナスの電荷を有するイオン粒子を発生させるプラズマクラスタシステムを採用した車室内空気清浄装置が知られている。
【０００４】
【特許文献１】特開２００６−１５１０４６号公報
【特許文献２】特開２００６−１１１２２７号公報
【特許文献３】特開２００５−０７５２３３号公報
【発明の開示】
【発明が解決しようとする課題】
【０００５】
ところで、近年、空調ユニットを構成する部品自体には抗菌処理が施されることが一般的であるが、かかる空調ユニットにおいても、ユニット内への外気導入時に入り込んだ埃，塵や花粉等が蓄積すれば、その蓄積箇所にてカビや雑菌が繁殖する可能性が残る。これに対処して、空調ユニット内の浄化を適宜行うことが望ましい。上記特許文献１〜３では、帯電物質が車室内空気の浄化を目的として利用されるのみで、空調ユニット内の浄化に利用されることは考慮されていなかった。
【０００６】
この発明は、上記技術的課題に鑑みてなされたもので、車室内空気の浄化とともに、空調ユニット内の浄化のために帯電物質を利用し得る車室内空気制御装置を提供することを目的とする。
【課題を解決するための手段】
【０００７】
そこで、本願の請求項１に係る発明は、熱交換器、及び、該熱交換器を通過した空調風を車室に導く複数の送風ダクトであって、それぞれ車室にて開口し該空調風を吹き出す吹出開口を備えた送風ダクトを有する空調手段と、空気環境の浄化特性を備えた帯電物質を供給する浄化手段と、を備えた車室内空気制御装置において、上記浄化手段は、帯電物質を、該送風ダクトのいずれかに供給可能に、かつ、上記熱交換器より上流側の空気流路部に供給可能に配設されている、ことを特徴としたものである。
【０００８】
また、本願の請求項２に係る発明は、請求項１に係る発明において、上記空気流路部は、上記熱交換器より上流側から該熱交換器に空気流を供給する送風デバイスより上流側部分である、ことを特徴としたものである。
【０００９】
更に、本願の請求項３に係る発明は、請求項１に係る発明において、上記空気流路部は、上記熱交換器より上流側から該熱交換器に空気流を供給する送風デバイスの下流側部分であり、上記浄化手段は、上記送風デバイスの作動時には、該送風デバイスにより供給される空気流の一部を利用して帯電物質を車室内に供給するように配設されている、ことを特徴としたものである。
【００１０】
また、更に、本願の請求項４に係る発明は、請求項１〜３に係る発明のいずれかにおいて、上記浄化手段は、共にインストルメントパネルの車幅方向中心近傍にて設置された上記空気流路部と上記浄化手段から帯電物質を供給される送風ダクトに備えられた帯電物質供給用吹出開口との双方の近傍に配設されている、ことを特徴としたものである。
【００１１】
また、更に、本願の請求項５に係る発明は、請求項４に係る発明において、上記空気流路部及び帯電物質供給用吹出開口は、車幅方向において少なくとも一部が重なる一方、車両の前後方向においては互いに離間するように配置されており、上記空気流路部と帯電物質供給用吹出開口を備えた送風ダクトとは、上記浄化手段に連通しつつ車両の前後方向に延びる略直線状の接続用ダクトを介して接続されている、ことを特徴としたものである。
【００１２】
また、更に、本願の請求項６に係る発明は、請求項２〜５に係る発明のいずれかにおいて、上記浄化手段は、帯電物質を送り出すための空気流を供給する帯電物質供給用送風デバイスを有しており、上記空調手段側の送風デバイスの作動停止時に、上記空気流路部に帯電物質が送り込まれるように、上記送風デバイスが作動させられる、ことを特徴としたものである。
【発明の効果】
【００１３】
本願の請求項１に係る発明によれば、帯電物質を車室内に供給しつつ空調手段内の熱交換器を含む各構成にも供給することができ、車室内の空気のみならず空調手段内の構成を浄化することができる。
【００１４】
また、本願の請求項２に係る発明によれば、上記帯電物質が送風デバイスより上流側部分に供給されることで、送風デバイスの作動時及び作動停止時にかかわらず、上記空調手段に対して帯電物質を供給することができる。
【００１５】
更に、本願の請求項３に係る発明によれば、上記送風デバイスにより供給される流速大の空気流の一部を利用して、帯電物質を車室内に供給することができ、車室内への帯電物質の供給性を向上させることができる。
【００１６】
また、更に、本願の請求項４に係る発明によれば、上記浄化手段は、上記空気流路部及び帯電物質を吹き出す吹出開口の双方の近傍に配設されるため、高濃度の帯電物質を車室内及び空調手段内に供給することができる。また、浄化手段を車幅方向中心近傍に設置することができ、その結果、車室内への帯電物質の拡散性を向上させることができる。
【００１７】
また、更に、本願の請求項５に係る発明によれば、上記空気流路部と帯電物質供給用吹出開口を備えた送風ダクトとを接続する接続用ダクトとして、車両の前後方向に延びる略直線状のダクトが設けられるため、浄化手段から供給先までの距離を短くすることができ、高濃度の帯電物質を車室内及び空調手段内に供給することができる。
【００１８】
また、更に、本願の請求項６に係る発明によれば、帯電物質供給用送風デバイスにより帯電物質を上記空気流路部に送り込むことができ、熱交換器等の空調手段内の構成を浄化することができる。
【発明を実施するための最良の形態】
【００１９】
以下、本発明の実施形態について、添付図面を参照しながら説明する。
（実施形態１）
図１及び２は、それぞれ、本発明の実施形態１に係る車両用空気制御装置の基本構成を概略的に示す平面図及び図１中のＸ−Ｘ線に沿った縦断面説明図である。車両用空気制御装置は、インストルメントパネル２０内に組み込まれ、車室内の空気の換気や温度，湿度及び風量の制御を行うように構成される空調ユニット１を有している。この空調ユニット１は、基本的に、各種構成を収容する本体部２と、本体部２から延び空気流路を規定する各種送風ダクトＤ１〜Ｄ５と、本体部２内に取り込まれる空気を車室内と車室外との間で切り換える外内気切換ユニット１５とを有している。外内気切換ユニット１５は、空気の導入口を外気導入口１６と内気導入口１７との間で切り換える機構を備え、本体部２とは直通通路１８を介して空気の流通が可能であるように接続されている。
【００２０】
本体部２においては、外内気切換ユニット１５を通じて車内外の空気を吸い込むとともに各種送風ダクトＤ１〜Ｄ５を通じて車室内に供給するブロワファン３が設けられている。また、ブロワファン３よりも下流側には、順に、本体部２に取り込まれた空気を冷却及び除湿する熱交換器であるエバポレータ４と、その空気を加熱する熱交換器であるヒータコア５とが設けられている。更に、エバポレータ４及びヒータコア５の近傍には、車室内に供給される空調風の温度を調節するために、エバポレータ４を通過して冷却された空気及びヒータコア５を通過して加熱された空気を所定の割合で混合するように、本体部２内の空気流路を変更するエアミックスドア６が設けられている。
【００２１】
また、エアミックスドア６の下流側には、運転席や助手席に着座する乗員の足元に空調風を吹き出すための足元吹出用ダクトＤ１が本体部２から下方へ延びるように設けられている。更に、その足元吹出用ダクトＤ１の延出部分の下流側には、足元吹出用ダクトＤ１及び他の送風ダクトＤ２〜Ｄ５への空気の流量を調整するように本体部２内の空気流路を変更する足元吹出切換ドア７が設けられている。
【００２２】
また、更に、足元吹出切換ドア７の下流側には、乗員の上体側若しくは車室後方に向けて空調風を吹き出す吹出開口としてのベンチレータ用のダクトＤ２〜Ｄ４への空調風の流量を調整するとともに、フロントウィンドウＷ１（図１参照）及びサイドウィンドウＷ２（図２参照）の曇りや露を除去すべく、それらウィンドウＷ１，Ｗ２に対して少なくともエバポレータ４を通過させられることで乾燥した空調風を吹き出す吹出開口としてのデフ吹出開口Ｐ１及びデフ吹出開口Ｐ２用のダクトＤ５への空調風の流量を調整するように、本体部２内の空気流路を変更するベンチレータ／デフ吹出開口切換ドア８が設けられている。
【００２３】
続いて、本体部２から延び空気流路を規定する各送風ダクトＤ１〜Ｄ５についてより詳しく説明すると、まず、送風ダクトＤ１は、運転席や助手席に着座する乗員の足元に空調風を吹き出すように本体部２から下方へ延びる足元吹出用ダクトであり、その末端側では、乗員の足元近傍にて開口するフット吹出開口Ｓ１を備えている。また、送風ダクトＤ２は、車室内の前側シートに着座する乗員の上体側に向けて空調風を吹き出すように本体部２から延びるベンチレータ用ダクトであり、その末端側で、インストルメントパネル２０の前側上部にて開口するベンチレータＳ２を備えている。なお、このベンチレータＳ２は、空調風の吹出し方向を調整可能であるとともに車室への空調風の供給停止状態となるようにベンチレータＳ２を遮断するルーバＲを備えている。ルーバＲは、自動で若しくは手動で制御されるもので、例えば冬季など暖気が直接に乗員の上体側に供給されることで乗員の眠気等を催すのを防止する場合に、ベンチレータＳ２を遮断するように自動で若しくは手動で制御される。なお、ルーバによる遮断に代えて、遮断用の弁を設けてもよい。
【００２４】
更に、送風ダクトＤ３は、車室の後方に向けて空調風を吹き出すように本体部２から延びるベンチレータ用ダクトであり、その末端側で、インストルメントパネル２０の上部にて開口するベンチレータＳ３を備えている。また、更に、送風ダクト４は、車室内の前側シートに着座する乗員の上体側に向けて車幅方向外側から空調風を吹き出すように本体部２から延びるベンチレータ用ダクトであり、その末端側で、インストルメントパネル２０の車幅方向側部にて開口するベンチレータＳ４を備えている。なお、このベンチレータＳ４は、ベンチレータＳ２と同様に、空調風の吹出し方向を調整可能であるとともに車室への空調風の供給停止状態となるようにベンチレータＳ４を遮断するルーバＲを備えている。
【００２５】
そして、送風ダクト５は、サイドウィンドウＷ２に少なくともエバポレータ４を通過せられて乾燥した空調風を導くように本体部２から延びるダクトであり、略車幅方向に沿って延びる途中部で、フロントウィンドウＷ１に空調風を吹き付けるデフ吹出開口Ｐ１を備えるとともに、その末端側で、インストルメントパネル２０の車幅方向側部にて開口し、サイドウィンドウＷ２のドアミラーＭ近傍部位に空調風を吹き付けるデフ吹出開口Ｐ２を備えている。
【００２６】
以上の構成を備えた空調ユニット１の制御方式としては、基本的に、外気温度に応じて車室内温度を自動的に設定し得るオート設定方式と、乗員が車室内温度を任意に設定し得るマニュアル設定方式とが設定されている。オート設定方式の採用時には、日射量，車室内の空気温度（内気温），外気温等の各種の環境情報に基づき、吹き出す空調風の温度，風量，吹出開口が選択される。他方、マニュアル設定方式の採用時には、ユーザ操作に基づき、実際に空調風を吹き出す吹出開口として、吹き出す空調風の温度，風量，吹出開口が選択される。なお、乗員は、インストルメントパネル２０に組み込まれる操作部１３（図１参照）を介して空調ユニット１を操作することができる。
【００２７】
更に、本実施形態１では、図１に示すように、ベンチレータＳ２用の送風ダクトＤ２の途中部に、空気中に浮遊した臭い成分や車室内の壁面等に付着した臭い成分を除去する浄化特性を備えた帯電微粒子水（ナノイオン）を発生する浄化デバイス１０が設けられている。この浄化デバイス１０は、空気を結露点以下にまで冷却することで結露水を生成しつつ、その結露水を用いてナノイオンを発生させるナノイオン発生ユニット１０ａと、発生したナノイオンをデフ吹出開口Ｐ２用のダクトＤ５に送り出す小型のファン１０ｂとを有している。乗員は、かかる浄化デバイス１０を、前述した空調ユニット１とは別に、インストルメントパネル２０に組み込まれた操作部１３（図１参照）に含まれるオンオフ切換スイッチ等の手段を介して操作することができる。
【００２８】
より詳しくは、浄化デバイス１０は、送風ダクトＤ２に対し、ベンチレータＳ２をなす末端側の近傍にて、車幅方向に延びる直結ダクト４０を介して接続されている。浄化デバイス１０の作動時には、ナノイオンが、かかる直結ダクト４０を介して送風ダクトＤ２へ供給され、ベンチレータＳ２から車室内に撒布されることになる。
【００２９】
そして、本実施形態１では、浄化デバイス１０が、ナノイオンが車室内に供給されるのみならず、空調ユニット１を構成するエバポレータ４やヒートコア５等の熱交換器を含む構成を浄化すべく、空調ユニット１内に供給されるように配設されている。具体的には、一端側で直結ダクト４０に接続されることで浄化デバイス１０に連通し、他端側で空調ユニット１の本体部２に接続される接続用ダクト４１が設けられている。接続用ダクト４１は、概ね車両の前後方向に延び、空調ユニット１の本体部２に対し、該本体部２に組み込まれたブロワファン３の下流側に接続されている。これにより、空調ユニット１の作動停止時（つまりブロワファン３の停止時）には、直結ダクト４０及び接続用ダクト４１を介して、ブロワファン３の下流側にナノイオンが供給されることとなる。なお、この実施形態１では、接続用ダクト４１がブロワファン３の外周側に位置するケースの浄化デバイス１０側に開口されており、これにより、接続用ダクト４１の長さを短く設定することができる。
【００３０】
図３は、空調ユニット１の作動時及び作動停止時における空気流及び浄化デバイス１０からのナノイオンの流れについての説明図である。まず、（ａ）は、浄化デバイス１０の作動の下で、空調ユニット１が作動停止させられた場合に関し、この場合には、ブロワファン３が回転しないため、本体部２から接続用ダクト４１への空気流は発生しない。このため、浄化デバイス１０から発生させられたナノイオンは、破線の矢印で示すように、ファン１０ｂの作動により、直結ダクト４０を通じて、ベンチレータ用ダクトＤ２に供給されるとともに、直結ダクト４０の途中部から接続用ダクト４１を経由して空調ユニット１の本体部３に供給される。
【００３１】
他方、（ｂ）は、浄化デバイス１０の作動の下で、空調ユニット１が作動させられた場合に関し、この場合、ブロワファン３が回転するため、一点鎖線の矢印で示すように、本体部２から接続用ダクト４１への空気流が発生する。このため、浄化デバイス１０から発生させられたナノイオンは、破線の矢印で示すように、直結ダクト４０を通じて、ベンチレータ用ダクトＤ２のみに供給される。なお、このとき、ファン１０ｂを作動させても、あるいは、作動停止させてもよい。
【００３２】
図４は、空調ユニット１及び浄化デバイス１０を制御する上で関連する電気的な構成を示すブロック図である。空調ユニット１を構成するブロワファン３，エバポレータ４，ヒータコア５，各種切換ドア６，７，８とともに、浄化デバイス１０，外気温又は内気温を検出する温度センサ１１，車両内における乗員の存在の有無を検出する乗員着座センサ１２，空調ユニット１及び浄化デバイス１０用の各種操作部１３が、ＥＣＵ３０に電気的に接続されている。ＥＣＵ３０は、温度センサ１１，乗員着座センサ１２，各種操作部１３からの信号入力に応じて、空調ユニット１及び浄化デバイス１０に制御信号を出力し、それらを制御する。なお、この場合、乗員着座センサ１２の代わりに、ドア開閉検出スイッチや車両のスタータスイッチのオフの検出に応じて乗員の降車を判断し、降車の判断に伴い、浄化デバイス１０を作動させてもよい。
【００３３】
例えば、空調ユニット１は、温度センサ１１により検出された外気温又は内気温が高い場合に、ベンチレータＳ２〜Ｓ４のみ若しくはフット吹出開口Ｓ１及びベンチレータＳ２〜Ｓ４から車室内への送風を行うように、他方、温度センサ１１により検出された外気温又は内気温が低い場合には、デフ吹出開口Ｐ１，Ｐ２及びフット吹出開口Ｓ１から車室内への送風を行うように制御される。また、乗員着座センサ１２により車両内に乗員がいないことが検出されると、浄化デバイス１０が検出時から所定時間作動させられる。
【００３４】
図５は、空調ユニット１及び浄化デバイス１０の制御処理に関するフローチャートである。この処理では、まず、各種センサからの信号が読み込まれ（＃１１）、その後、空調ユニット１が、インストルメントパネル２０に組み込まれた操作部１３を介して、ブロワファン３がオンにされるように乗員により操作されたか否かが判断される（＃１２）。その結果、空調ユニット１が操作されていないと判断された場合には、ステップ＃１６へ進み、他方、空調ユニット１が操作されたと判断された場合には、続いて、空調制御が行われた上で（＃１３）、ステップ＃１４へ進む。
【００３５】
なお、ステップ＃１３における空調制御においては、モード制御や温度制御が自動的に行われる。モード制御とは、外気温又は内気温の高低に応じて、エアミックスドア６，足元吹出切換ドア７，ベンチレータ／デフ吹出開口切換ドア８の姿勢を調整し、車室内への各種送風供給口を採用するモードを変更する制御であり、例えば、外気温又は内気温が高い場合に、ベンチレータＳ２〜Ｓ４のみ若しくはフット吹出開口Ｓ１及びベンチレータＳ２〜Ｓ４から車室内への送風を行うモード（以下、ベンチモードという）が設定されるように、他方、外気温又は内気温が低い場合には、デフ吹出開口Ｐ１，Ｐ２及びフット吹出開口Ｓ１から車室内への送風を行うモード（以下、デフモードという）が設定されるように、制御が行われる。また、一方、温度制御では、外気温，内気温，乗員設定温度，日射等の条件から決まる目標室内温度を達成するために、エアミックスドア６の姿勢が調整される。
【００３６】
ステップ＃１４では、空調ユニット１に組み込まれた浄化デバイス１０が、インストルメントパネル２０に組み込まれた操作部１３を介して乗員によりオン操作されたか否かが判断される。その結果、浄化デバイス１０がオン操作されていないと判断された場合には、即時に処理がリターンされ、浄化デバイス１０がオン操作されたと判断された場合には、浄化デバイス１０が作動させられる（＃１５）。この場合には、図３の（ｂ）に示したように、ナノイオンが、空調ユニット１の本体部２から接続用ダクト４１へもたらされる空気流の一部を利用しつつ、送風ダクトＤ２に供給され、車室内に効率良く供給され得る。ステップ＃１５の後には、処理がリターンされる。
【００３７】
他方、ステップ＃１２において空調操作がないと判断された場合には、引き続き、空調ユニット１に組み込まれた浄化デバイス１０が、インストルメントパネル２０に組み込まれた操作部１３を介して乗員によりオン操作されたか否かが判断される（＃１６）。その結果、浄化デバイス１０がオン操作されていないと判断された場合には、ステップ＃１８へ進み、他方、浄化デバイス１０がオン操作されたと判断された場合には、浄化デバイス１０が作動させられる（＃１７）。この場合には、図３の（ａ）に示したように、ナノイオンが、直結ダクト４０を通じて車室内に供給されるとともに、直結ダクト４０及び接続用ダクト４１を通じて空調ユニット１の本体部２に供給される。ステップ＃１７の後には、処理がリターンされる。
【００３８】
更に、ステップ＃１６において浄化デバイス１０がオン操作されていないと判断された場合には、引き続き、乗員が着座していないか否かが判断され（＃１８）、その結果、乗員が着座していると判断された場合には、即時に処理がリターンされ、他方、乗員が着座していないと判断された場合には、浄化デバイス１０が作動させられる（＃１９）。この場合には、ステップ＃１７と同様に、ナノイオンが、直結ダクト４０を通じて車室内に供給されるとともに、直結ダクト４０及び接続用ダクト４１を通じて空調ユニット１の本体部２に供給される。
【００３９】
また、ステップ＃１９における浄化デバイス１０の作動に伴い、タイマーカウントが開始され（＃２０）、その後、所定時間Ｔ０が経過したか否かが判断される（＃２１）。その結果、所定時間Ｔ０が経過していないと判断された場合には、ステップ＃２１が繰り返され、他方、所定時間Ｔ０が経過したと判断された場合には、即時に、浄化デバイス１０の作動が停止させられる（＃２２）。ステップ＃２２の後には、処理がリターンされる。
【００４０】
以上の説明から明らかなように、本実施形態１によれば、浄化デバイス１０は、ナノイオンを、ベンチレータ用ダクトＤ２に供給可能に、かつ、エバポレータ４より上流側から空気流を供給するブロワファン３の下流側部分に供給可能に配設されるため、ナノイオンを車室内に供給しつつ空調ユニット１内のエバポレータ４を含む各構成にも供給することができ、車室内の空気のみならず空調ユニット１内の構成を浄化することができる。
【００４１】
また、空調ユニット１の作動時には、図３の（ｂ）に示すように、ブロワファン３により供給される流速大の空気流の一部を利用して、ナノイオンを車室内に供給することができ、車室内へのナノイオンの供給性を向上させることができる。他方、空調ユニット１の作動停止時には、図３の（ａ）に示すように、浄化デバイス１０を作動させ、ファン１０ｂを回転させることで、ナノイオンを直結ダクト４０及び接続用ダクト４１を通じてブロワファン３の下流側に送り込むことができ、エバポレータ４を含む空調ユニット１内の構成を浄化することができる。
【００４２】
更に、図１からよく分かるように、空調ユニット１の本体部２及びベンチレータＳ２は、車幅方向において少なくとも一部が重なる一方、車両の前後方向において互いに離間するように配置されており、浄化デバイス１０は、これら双方の近傍に配設されている。加えて、空調ユニット１の本体部２とベンチレータＳ２用の送風ダクトＤ２とを接続するための接続用ダクト４１として、車両の前後方向に延びる略直線状のダクトが設けられている。かかる構成により、浄化デバイス１０から供給先となる本体部２までの距離を短くすることができ、高濃度のナノイオンを車室内及び空調ユニット１内に供給することができる。その結果、車室内の空気の浄化及び空調ユニット内の各構成の浄化を効率良く行うことができる。
【００４３】
続いて、本発明の別の実施形態について説明する。なお、以下では、上記実施形態１と同じ構成には同一の符号を付し、それ以上の説明を省略する。
（実施形態２）
図６及び図７は、本発明の実施形態２に係る車両用空気制御装置の基本構成を概略的に示す平面図及び図６中のＹ−Ｙ線に沿った縦断面説明図である。
前述した実施形態１では、浄化デバイス１０からのナノイオンの供給先が、ベンチレータ用ダクトＤ２に加えて、ブロワファン３が組み込まれた本体部２に設定されていたが、これに限定されることなく、例えば、図６に示すように、本体部２の上流側で、本体部２と外内気切換ユニット１５との間の直通通路１８に設定されてもよい。すなわち、本実施形態２では、一端側で直結ダクト４０に接続されることで浄化デバイス１０に連通し、他端側で直通通路１８に接続される接続用ダクト５１が設けられている。
【００４４】
この実施形態２によれば、ナノイオンがブロワファン３より上流側部分に供給されることで、空調ユニット１の作動時にも（つまりブロワファン３の作動時）にも、空調ユニット１内にナノイオンを供給することができる。
【００４５】
（実施形態３）
図８は、本発明の実施形態３に係る車両用空気制御装置の基本構成を概略的に示す平面図である。
前述した実施形態１及び２では、浄化デバイス１０が車幅方向に延びる直結ダクト４０の一端側に設けられ、ベンチレータ用ダクトＤ２に対するナノイオンの供給が容易になるような向きに設定されたが、これに限定されることなく、図８に示すように、浄化デバイス１０は、その他端側で空調ユニット１の本体部２（ブロワファン３の下流側）に接続される接続用ダクト６０の一端側に設けられ、本体部２に対するナノイオンの供給が容易になるような向きに設定されてもよい。加えて、この実施形態３では、直結ダクト４０の代わりに、接続用ダクト６０の途中部から分岐してベンチレータ用ダクトＤ２に連通する分岐ダクト６１が設けられている。
【００４６】
図９は、本実施形態３に係る空調ユニット１の作動時及び作動停止時における空気流及び浄化デバイス１０からのナノイオンの流れについての説明図である。まず、（ａ）は、浄化デバイス１０の作動の下で、空調ユニット１が作動停止させられた場合に関するもので、この場合には、ブロワファン３が回転しないため、本体部２から接続用ダクト６０への空気流は発生しない。このため、浄化デバイス１０から発生させられたナノイオンは、破線の矢印で示すように、ファン１０ｂの作動により、接続用ダクト６０を通じて、空調ユニット１の本体部３に供給される。
【００４７】
他方、（ｂ）は、浄化デバイス１０の作動の下で、空調ユニット１が作動させられた場合に関するもので、この場合、ブロワファン３が回転するため、一点鎖線の矢印で示すように、本体部２から接続用ダクト６０への空気流が発生する。このため、浄化デバイス１０から発生させられたナノイオンは、本体部２からの空気流に押し戻されつつ、破線の矢印で示すように、接続用ダクト６０の途中部から分岐ダクト６１を通じて、ベンチレータ用ダクトＤ２のみに供給される。
【００４８】
なお、本発明は、例示された実施形態に限定されるものでなく、本発明の要旨を逸脱しない範囲において、種々の改良及び設計上の変更が可能であることは言うまでもない。
【００４９】
例えば、前述した各実施形態では、浄化デバイス１０からのナノイオンの供給先となる送風ダクトとして、ベンチレータＳ２用の送風ダクトＤ２が設定されていたが、これに限定されることなく、上記実施形態１の変形例として図１０に示すように、インストルメントパネル２０の上部にて開口するベンチレータＳ３用の送風ダクトＤ３が設定されてもよい。つまり、ここでは、浄化デバイス１０が、送風ダクトＤ３に対し、車幅方向に延びる直結ダクト７０を介して接続されている。浄化デバイス１０の作動時には、ナノイオンが、直結ダクト７０を介して送風ダクトＤ３へ供給され、ベンチレータＳ３から車室内に撒布されることになる。
【００５０】
また、図５中の空調制御（＃１３）では、モード制御が自動化に限定されず、手動で行われてもよい。更に、図５中のステップ＃１５及び＃１７における浄化デバイス１０の作動時には、その作動が、開始後から所定時間だけ継続するように制御されてもよい。また、帯電物質の発生器としては、ナノイオンを発生する浄化デバイス１０に限定されることなく、プラスとマイナスの電荷を有するイオン粒子を発生させるプラズマクラスタシステムが採用されてもよい。
【図面の簡単な説明】
【００５１】
【図１】本発明の実施形態１に係る車両用空気制御装置の基本構成を概略的に示す平面図である。
【図２】図１中のＸ−Ｘ線に沿った縦断面説明図である。
【図３】上記実施形態１に係る車両用空気制御装置を構成する空調ユニットの作動時及び作動停止時における浄化デバイスからのナノイオンの流れについての説明図である。
【図４】上記実施形態１に係る車両用空気制御装置を構成する空調ユニット及び浄化デバイスを制御する上で関連する電気的な構成を示すブロック図である。
【図５】上記実施形態１に係る車両用空気制御装置を構成する空調ユニット及び浄化デバイスの制御処理に関するフローチャートである。
【図６】本発明の実施形態２に係る車両用空気制御装置の基本構成を概略的に示す平面図である。
【図７】図６中のＹ−Ｙ線に沿った縦断面説明図である。
【図８】本発明の実施形態３に係る車両用空気制御装置の基本構成を概略的に示す平面図である。
【図９】上記実施形態３に係る車両用空気制御装置を構成する空調ユニットの作動時及び作動停止時における浄化デバイスからのナノイオンの流れについての説明図である。
【図１０】上記実施形態１に係る車両用空気制御装置の変形例を示す平面図である。
【符号の説明】
【００５２】
１…空調ユニット，２…本体部，３…ブロワファン，４…エバポレータ，５…ヒータコア，６…エアミックスドア，７…足元吹出切換ドア，８…ベンチレータ／デフ吹出開口切換ドア，１０…浄化デバイス，１０ａ…ナノイオン発生ユニット，１０ｂ…ファン，１１…温度センサ，１３…操作部，１８…直通通路，２０…インストルメントパネル，３０…ＥＣＵ，４０，７０…直結ダクト，４１，５１，６０…接続用ダクト，６１…分岐ダクト，Ｄ１〜Ｄ５…送風ダクト，Ｍ…ドアミラー，Ｓ１…フット吹出開口，Ｓ２〜Ｓ４…ベンチレータ，Ｐ１，Ｐ２…デフ吹出開口，Ｒ…ルーバ，Ｗ２…サイドウィンドウ。
【図１】
2008273242.tif 000003
【図２】
2008273242.tif 000004
【図３】
2008273242.tif 000005
【図４】
2008273242.tif 000006
【図５】
2008273242.tif 000007
【図６】
2008273242.tif 000008
【図７】
2008273242.tif 000009
【図８】
2008273242.tif 000010
【図９】
2008273242.tif 000011
【図１０】
2008273242.tif 000012